(57)【特許請求の範囲】
【請求項１】
底部及び前記底部から延長された側部を含み収納空間を形成する収納容器と、
前記収納容器の内部に互いに並行に配置される複数のランプと、
前記収納容器の内部に配置され前記ランプと交差する方向に形成された支持本体部、前記支持本体部から上面に突出され、前記ランプを取り囲んで固定するランプ固定部、及び前記ランプ固定部の内面から前記ランプの中心方向に突出され前記ランプ固定部に前記ランプを固定する突出部を具備するランプ固定部材と、
を含み、
前記ランプ固定部の端部は外部に向いて折り曲がった形状を有し、
前記ランプと接触する前記突出部の端部には、前記ランプとの接触により生じる応力を抑制する溝が形成されていることを特徴とするバックライトアセンブリ。
【請求項２】
前記突出部は、前記ランプの外面と点接触することを特徴とする請求項１記載のバックライトアセンブリ。
【請求項３】
前記突出部は、突起形状を有することを特徴とする請求項２記載のバックライトアセンブリ。
【請求項４】
前記突出部は、前記ランプ固定部の内周面の装着されるランプの長さ方向中心線に沿って線形態または、前記中心線を挟んでジグザグ形態に形成されることを特徴とする請求項３記載のバックライトアセンブリ。
【請求項５】
前記突出部は、四角錐形状（ピラミッド形状）を有することを特徴とする請求項２記載のバックライトアセンブリ。
【請求項６】
前記突出部は、前記ランプの外面と線接触することを特徴とする請求項１記載のバックライトアセンブリ。
【請求項７】
前記突出部は、前記ランプと接触する領域が前記ランプの長さ方向に沿って延長されるように形成されることを特徴とする請求項６記載のバックライトアセンブリ。
【請求項８】
前記突出部は、三角形形状の縦断面を有するように前記ランプの長さ方向に沿って延長されるように形成されることを特徴とする請求項７記載のバックライトアセンブリ。
【請求項９】
前記ランプ固定部は、前記ランプの挿入のための開口を有することを特徴とする請求項１記載のバックライトアセンブリ。
【請求項１０】
前記ランプの上部に配置され前記ランプからの光を拡散させる拡散板をさらに含むことを特徴とする請求項１記載のバックライトアセンブリ。
【請求項１１】
前記ランプ固定部材は、前記支持本体部の上部に突出され前記拡散板を支持する拡散板支持部をさらに含むことを特徴とする請求項１０記載のバックライトアセンブリ。
【請求項１２】
前記ランプ固定部材は、前記支持本体部の下部面に形成され前記収納容器の底部と結合される結合部をさらに含むことを特徴とする請求項１記載のバックライトアセンブリ。
【請求項１３】
前記収納容器の底部には前記結合部と結合するためのホールが形成されることを特徴とする請求項１２記載のバックライトアセンブリ。
【請求項１４】
底部及び前記底部から延長された側部を含む収納容器、前記収納容器の底部上に互いに並行に配置される複数のランプ、及び前記底部に結合され前記ランプを固定するランプ固定部材を含むバックライトアセンブリと、
前記バックライトアセンブリの上部に配置され、前記バックライトアセンブリから発生された光を用いて画像を表示する表示パネルと、
を含み、前記ランプ固定部材は、
前記収納容器の内部に配置され、前記ランプと交差する方向に形成された支持本体部と、
前記支持本体部から上部に突出され、前記ランプを取り囲んで固定するランプ固定部と、
前記ランプ固定部の内面から前記ランプの中心方向に突出され前記ランプ固定部に前記ランプを固定する突出部と、
を含み、
前記ランプ固定部の端部は外部に向いて折り曲がった形状を有し、
前記ランプと接触する前記突出部の端部には、前記ランプとの接触により生じる応力を抑制する溝が形成されていることを特徴とする表示装置。
【請求項１５】
前記突出部は、前記ランプの外面と点接触することを特徴とする請求項１４記載の表示装置。
【請求項１６】
前記突出部は、前記ランプの外面と線接触することを特徴とする請求項１４記載の表示装置。
【請求項１７】
前記バックライトアセンブリは前記ランプの上部に配置された拡散板をさらに含み、
前記ランプ固定部材は前記支持本体部から上部に突出され前記拡散板を支持する拡散板支持部をさらに含むことを特徴とする請求項１４記載の表示装置。
【請求項１８】
前記ランプ固定部材は、前記支持本体部の下部面に形成され前記収納容器の底部と結合される結合部をさらに含むことを特徴とする請求項１４記載の表示装置。
【請求項１９】
前記突出部は前記ランプと点接触または線接触をし、前記ランプ固定部材の内周面の装着されるランプの長さ方向中心線に沿って線形態、または前記中心線を挟んでジグザグパターンに配列された複数個の突出部を含むことを特徴とする請求項１４記載の表示装置。
【発明の詳細な説明】
【技術分野】
【０００１】
本発明はランプサポートと、それを有するバックライトアセンブリ及び表示装置に関し、より詳細には、暗部を除去し画像の表示品質を向上させるためのランプサポートと、それを有するバックライトアセンブリ及び表示装置に関する。
【背景技術】
【０００２】
平面表示装置の１つである液晶表示装置（ＬＣＤ）は液晶の電気的及び光学的特性を用いて画像を表示する。この液晶表示装置は他の表示装置に比べて厚さが薄く、低消費電力及び低駆動電圧で作動するという長所を有し産業全般に渡って多く使用されている。
液晶表示装置は液晶の光透過率を用いて画像を表示する液晶表示パネル及び液晶表示パネルに光を提供するバックライトアセンブリで構成される。
【０００３】
液晶表示装置に採用されたバックライトアセンブリは、光を発生する光源によって、エッジ型バックライトアセンブリ及び直下型バックライトアセンブリに分類される。
エッジ型バックライトアセンブリは、光を発生するランプ、このランプと側面が向き合うように配置された導光板及びランプと導光板を収納する収納容器を含み、導光板の側面を介してランプから発生された光の経路をガイドし液晶表示パネルに出射する。
【０００４】
直下型バックライトアセンブリは液晶表示パネルの下部に配置された複数個のランプ、ランプを収納する収納容器、ランプの上面に配置された拡散板、及びランプの下面に配置された反射板を含む。ランプから発生した光は拡散板によって拡散され液晶表示パネルに入射する。
直下型バックライトアセンブリは、ランプを支持するためのランプサポートをさらに含む。一般的に、ランプは円筒形状を有しており、ランプサポートはランプの一部を取り囲むためにＵ字形状を有する。このように、ランプサポートがランプの一部を取り囲むことにより、ランプサポートはランプの一部と広い面積で接触する。
【０００５】
しかし、ランプがランプサポートと広い面積で接触することに起因して、ランプから発生した熱は接触部位を介してランプサポートに伝達される。接触部位を介して熱が伝達されることにより、ランプの温度が局部的に低下するという問題点がある。このようなランプ温度の局部的な低下は、液晶表示装置の外部から視認可能な暗部を発生し、この暗部の発生により画像の表示品質を低下させるという問題がある。
【発明の開示】
【発明が解決しようとする課題】
【０００６】
従って、本発明の技術的課題はこのような従来の問題点を解決するために導出されたもので、本発明の目的は熱の伝達量を最小化して画像の表示品質を向上させたバックライトアセンブリを提供することにある。
また、本発明の他の目的は、前述したバックライトアセンブリを有する表示装置を提供することにある。
【課題を解決するための手段】
【０００７】
前記本発明の他の目的を達成するために導出された一実施形態によるバックライトアセンブリは収納容器、複数のランプ及びランプ固定部材を含む。
前記収納容器は底部及び前記底部から突出された側部を含み収納空間を形成する。前記複数のランプは前記収納容器の内部に互いに並行に配置される。前記ランプ固定部材は前記収納容器の内部に配置され前記ランプと交差される方向に形成された支持本体部、前記支持本体部から上部に突出され前記ランプを取り囲んで固定するランプ固定部、及び前記ランプ固定部の内面から前記ランプの中心方向に突出された突出部を含む。この際、前記突出部は前記ランプの外面と点接触または線接触を成すことが望ましい。
【０００８】
選択的に、前記バックライトアセンブリは前記ランプの上部に配置され前記ランプからの光を拡散させる拡散板をさらに含むことができ、前記ランプ固定部材は前記支持本体部の上部に突出され前記拡散板を支持する拡散板支持部をさらに含むことができる。また、前記ランプ固定部座は前記支持本体部の下部面に形成され前記収納容器の底部と結合される結合部をさらに含むことができる。
【０００９】
前記本発明の目的を達成するための導出された一実施形態による表示装置はバックライトアセンブリ及び表示パネルを含む。
前記バックライトアセンブリは底部及び前記底部から延長された側部を含む収納容器、前記収納容器の底部上に互いに並行に配置される複数のランプ、及び前記底部に結合され前記ランプを固定するランプ固定部材を含む。前記表示パネルは前記バックライトアセンブリの上部に配置され、前記バックライトアセンブリから発生された光を用いて画像を表示する。
【００１０】
前記ランプ固定部材は、前記収納容器の内部に配置され前記ランプと交差する方向に形成された支持本体部、前記支持本体部から上部に突出され前記ランプを取り囲んで固定するランプ固定部、及び前記ランプ固定部の内面から前記ランプの中心方向に突出された突出部を含む。
このような本発明によると、ランプ固定部の内面にランプとの接触面積を減少させるための突出部を形成することにより、ランプ温度が局部的に低下することを防止でき、その結果、輝度の不均一が発生することを防止して画像の表示品質をより向上することができる。
【発明を実施するための最良の形態】
【００１１】
以下、添付図面を参照して、本発明の好ましい実施形態をより詳細に説明する。
図１は本発明の第１実施形態によるバックライトアセンブリを示した斜視図であり、図２は図１のバックライトアセンブリをI-I'線に沿って切断した断面図である。
図１及び図２に示すように、本実施形態によるバックライトアセンブリ６００は収納容器１００、ランプ２００、サイドモールド３００、拡散板４００及び支持部材５００を含み、上部に輝度が均一な光を提供する。
【００１２】
収納容器１００は底部１１０及びこの底部１１０のエッジから延長された側部１２０を含み、底部１１０及び側部１２０によって収納空間が画定される。収納容器１１０はランプ２００、サイドモールド３００、拡散板４００及び支持部材５００などを挙げることができる。収納容器１００の底部１１０には、支持部材５００の結合突起５４０と結合するための結合ホール１１２が形成される。
【００１３】
ランプ２００は光を発生するものであり、一例として、熱放出量が低く、寿命の長い冷陰極蛍光ランプ（ＣＣＦＬ）を採用することができる。ランプ２００はＸ軸方向に長く形成された棒形状を有する。ランプ２００は収納容器１００内に複数個が収納され、Ｙ軸方向に沿って並列して配置される。
それとは異なり、ランプ２００はＵ字形状のランプで構成することができ、外部に電極が配置された外部電極蛍光ランプ（ＥＥＦＬ）とすることができる。
【００１４】
ランプ２００は、支持部材５００のランプサポート５３０によって支持され、収納容器１００の底部１１０から所定距離離間して配置される。ランプ２００は、光を発生するランプ本体及び電源が印加される電極（図示せず）を含む。
ランプ本体は、円筒棒形状を有し、ランプ本体の内部には放電ガス（図示せず）が充填されており、ランプ本体の内壁には蛍光物質（図示せず）が形成されている。
【００１５】
電極はランプ本体の両側端部に配置され、具体的に両側端部の内部に配置される。この際、ランプ２００が外部電極蛍光ランプ（ＥＥＦＬ）の場合、電極はランプ本体の両側端部の外部に配置される。
電極は電源線（図示せず）によって外部のインバータ（図示せず）から電源の供給を受ける。電極に電源が印加されると、電極は電子を発生し、電極から発生した電子が放電ガスに衝突することにより紫外線を放出する。紫外線は蛍光物質によって可視光線に変更されランプ本体の外部に放出される。
【００１６】
サイドモールド３００は収納容器１００内に互いに向き合うように一対が配置され、ランプ２０の両側端部をカバーする。サイドモールド３００はランプ２００の両側端部をカバーすることで、ランプ２００の両側端部に形成された電極を外部から保護する。サイドモールド３００は、一例として、Ｌ字形状またはＵ字形状とすることができる。また、サイドモールド３００にはランプ２００の外面と結合されランプ２００を固定するためのランプ固定溝３１０が形成される。
【００１７】
拡散板４００はランプ２００の上部に配置され、ランプ２００から発生した光を拡散させる。拡散板４００はプレート形状を有し光を拡散することができる合成樹脂からなり、一例として、ＰＭＭＡ（Poly  Methyl  Meta  Acrylate）からなる。
拡散板４００の両側端部はサイドモールド３００の上端に設置され、拡散板４００の中間部位は支持部材５００の拡散板サポートによって支持される。
【００１８】
支持部材５００は収納容器１０内に配置され、拡散板４００及びランプ２００を支持する。支持部材５００は、支持本体５１０、拡散板サポート５２０及びランプサポート５３０を含み、選択的に結合突起５４０をさらに含むように構成できる。この際、図面では、拡散板サポート５２０及びランプサポート５３０が支持本体５１０によって互いに一体化したものを示しているが、これとは異なり、互いに分離された状態収納容器１００内に配置することもできる。
【００１９】
支持本体５１０はプレート形状を有し、収納容器１００の内部に配置される。支持本体５１０はランプ２００と交差する方向または横切る方向に形成することが望ましい。
拡散板サポート５２０は、支持本体５１０から上部に突出した状態で形成される。拡散板サポート５２０は、一例として、円錐形状または多角推形状とすることができる。拡散板サポート５２０は、拡散板４００の中央部位を支持し、拡散板４００の中央が垂れることを防止することができる。
【００２０】
ランプサポート５３０は支持本体５１０から上部に延長された状態で形成され、ランプ２００の中央部位を支持する。ランプサポート５３０は、収納容器１００の底部１１０から所定距離離間した状態でランプ２００を支持する。
結合突起５４０は支持本体５００の下部面に形成される。結合突起５４０は、一例として、フック形状に構成できる。この結合突起５４０が収納容器１００の底部１１０に形成された結合ホール１１２と結合される。結合突起５４０が結合ホール１１２に結合することにより、支持部材５００を収納容器の底部１１０に固定することができる。
【００２１】
このような支持部材５００はランプ２００から発生した光の経路が遮断されることを抑制するために、透明な材質で構成されることが望ましい。
本実施形態によるバックライトアセンブリ６００は、収納容器１００の底部１１０に配置され、ランプ２００から発生した光のうち、下部に向かう光を上部に反射させる反射板（図示せず）をさらに含むように構成できる。これとは異なり、収納容器１００の底部１１０に、光を反射するための金属物質をコーティングすることができる。
【００２２】
以下、図面を用いてランプサポートをより詳細に説明する。
図３は図１のバックライトアセンブリのうちランプサポートのみを抜粋して示した斜視図であり、図４は図３のランプサポートをII-II'に沿って切断した断面図である。
図３及び図４に示すように、ランプサポート５３０はランプ２００を支持するためのランプ固定部５３２及びランプ２００の外面と接触する突出部５３４ａを含む。
【００２３】
ランプ固定部５３２は支持本体５１０から上部に突出された状態で形成され、ランプ２００と結合されてランプ２００を固定する。ランプ固定部５３２は、ランプ２００の挿入のための開口を有する。一例として、ランプ固定部５３２はランプ２００との結合及び分離が容易にできるように、Ｕ字形状とすることができる。この際、ランプ固定部５３２がＯ字形状から分離されたＵ字形状とすることもできる。
突出部５３４ａはランプ固定部５３２の内周面からランプ２００の中心方向に突出された状態で形成される。突出部５３４ａは突起形状を有し、一例で、円柱形状を有し、望ましくはランプ２００と接触する突出部５３４ａの端部が丸みを帯びるように形成される。これとは異なり、突出部５３４ａは多角柱形状、円錐形状、多角推形状など多様な形状に構成することができる。突出部５３４ａはランプ固定部５３２の内周面に沿って複数個が一列に形成され、望ましくは、突出部５３４ａは３個または４個からなる。図面では４個の突出部５３４ａを示した。この際、突出部５３４ａはランプ固定部５３２の内周面の中心線に形成することが望ましい。
【００２４】
突出部５３４ａの端部は、ランプ２００の外面と面接触する場合に比べて相対的に小さい面積で点接触するように構成される。このように、突出部５３４ａがランプ２００と点接触することで、面接触することに比べてランプ２００から発生した熱が局部的にランプサポート５３０に急速に伝達されることを抑制できる。
しかし、突出部５３４ａとランプ２００は、極小の面積で点接触していることにより、点接触による応力が発生し、このような応力によってランプ２００に傷や破損を生じるおそれがある。従って、突出部５３４ａの端部には点接触による応力を減少させるための接触溝を形成することが望ましい。この際、接着溝はランプ２００の曲率と同一に丸みを帯びるようになる。
【００２５】
本実施形態によると、突出部５３４ａがランプ固定部５３２から突起形状を有するように設けられ、ランプ２００と点接触するようにすることで、ランプ２００から発生した熱が接触地点を介してランプサポート５３０に急速に伝達されることを抑制することができ、その結果、ランプ２００に局部的に暗部が発生することを防止することができる。
<バックライトアセンブリの第２実施形態>
図５は本発明の第２実施形態によるバックライトアセンブリのうち、ランプサポートのみを抜粋して示した斜視図である。本発明の第２実施形態によるバックライトアセンブリはランプサポートを除いては、前述した第１実施形態のバックライトアセンブリと同一の構成を有するので、その重複した説明は省略し、同一の構成要素については同一の参照符号及び名称を使用することにする。
【００２６】
図５に示すように、ランプサポート５３０はランプ２００を支持するためのランプ固定部５３２、及びランプ２００の外面と接触する突出部５３４ｂを含む。
ランプ固定部５３２は支持本体５１０から上部に突出した状態で形成され、ランプ２００と結合することでランプ２００を固定する。ランプ固定部５３２はランプ２００との結合及び分離が容易にできるように開口を有する。
【００２７】
突出部５３４ｂが、ランプ固定部５３２の内周面からランプ２００の中心に向かって突出した状態で形成される。突出部５３４ｂは、突起形状とすることができ、一例として、円柱形状とすることができる。突出部５３４ｂの端部は、ランプ２００の外面と面接触する場合に比べて相対的に小さい面積で点接触するように構成される。
突出部５３４ｂは、ランプ固定部５３２の内周面に沿って複数個が形成されており、装着されるランプの長さ方向に対して配置される位置がジグザグ形態に構成される。具体的に、突出部５３４ｂは、ランプ固定部５３２の内周面の装着されるランプの長さ方向に対する中心線よりランプ長さ方向に所定の間隔離隔して形成され、前記中心線を基準にして一側及び他側に交代に形成することができる。
【００２８】
突出部５３４ｂの端部には点接触による応力を減少させるために接触溝を形成することが望ましい。この際、接着溝はランプ２００の曲率と同一の丸みを帯びるように形成することができる。
本実施形態によると、突出部５３４ｂをランプ固定部５３２の内周面に沿ってジグザグに形成することにより、突出部５３４ｂを一列に形成することに比べてランプ２００をより均衡して支持することができる。
【００２９】
<バックライトアセンブリの第３実施形態>
図６は本の第３実施形態によるバックライトアセンブリのうちランプサポートのみを抜粋して示した斜視図であり、図７は図６のランプサポートをIII-III'線に沿って切断した断面図である。本発明の第３実施形態によるバックライトアセンブリはランプサポートを除いては、前述した第１実施形態のバックライトアセンブリと同一の構成を有するので、その重複する説明は省略し、同一の構成用語について同一の参照符号及び名称を使用する。
【００３０】
図６及び図７に示すように、ランプサポート５３０はランプ２００を支持するためのランプ固定部５３２、及びランプ２００の外面と接触する突出部５３４ｃを含む。
ランプ固定部５３２は支持本体５１０から上部に突出した状態で形成され、ランプ２００と結合することによりランプ２００を固定する。ランプ固定部５３２はランプ２００との結合及び分離が容易にできるように開口を有し、一例として、Ｕ字形状とすることができる。この際、ランプ固定部５３２は屈曲されたＵ字形状を有することが望ましい。
【００３１】
突出部５４３ｃはランプ固定部５３２の内周面からランプ２００の中心方向に突出された状態で形成される。突出部５３４ｃは、ランプ２００と線接触を成す形状を有する。この際、突出部５３４ｂとランプ２００が線接触を成すラインはランプ２００の長さ方向と並行であることが望ましい。一例として、突出部５３４ｃは三角形形状の縦断面を有するように、ランプ２００の長さ方向に沿って延長されて形成され、即ち、プリズム形状を有する。突出部５３４ｃは、ランプ固定部５３２の内周面に沿って複数個が形成される。この際、突出部５３４ｃの縦断面は望ましくは二等辺三角形形状を有する。これとは異なり、突出部５３４ｃの縦断面は左右が対称である台形状、または半円形状とすることができる。
【００３２】
突出部５３４ｃはプリズム形状を有することにより、突出部５３４ｃの端部はランプ２００の外面と相対的に小さい面積で線接触が行われる。このように、突出部５３４ｂがランプ２００と線接触することで、ランプ２００から発生した熱が局部的にランプサポート５３０に急速に伝達されることを抑制できる。
突出部５３４ｃの端部には線接触による応力を減少させるための接触溝５３４ｃ−１が形成されることが望ましい。この際、接触溝５３４ｃ−１はランプ２００の曲率と同一に丸みを帯びることが望ましい。
【００３３】
本実施例によると、突出部５３４ｃがランプ固定部５３２からプリズム形状を有するように突出されランプ２００と線接触することで、ランプ２００から発生された熱が接触地点を介してランプサポート５３０に急速に伝達されることを抑制でき、その結果、ランプ２００に局部的に暗部が発生することを防止できる。
<バックライトアセンブリの第４実施例>
図８は本発明の第４実施例によるバックライトアセンブリのうちランプサポートのみを抜粋して示した斜視図であり、図９は図８のランプサポートをIV-IV'線に沿って切断した断面図である。本発明の第４実施例によるバックライトアセンブリはランプサポートを除いては、前述した第１実施例のバックライトアセンブリと同一の構成を有するので、その重複する説明は省略し、同一の構成要素については同一の参照符号及び名称を使用する。
【００３４】
図８に示すように、ランプサポート５３０はランプ２００を支持するためのランプ固定部５３２、及びランプの外面と接触する突出部５３４ｄを含む。
ランプ固定部５３２は支持本体５１０から上部に突出された状態で形成され、ランプ２００と結合されランプ２００を固定する。ランプ固定部５３２はランプ２００との結合及び分離が容易にできるように開口を有し、一例として、Ｕ字形状に形成される。この際、ランプ固定部５３２は複数の角部ができるように屈曲したＵ字形状を有することが望ましい。
【００３５】
突出部５３４ｄは、ランプ固定部５３２の内周面からランプ２００の中心方向に突出された状態で形成される。突出部５３４ｄはランプ固定部５３２の内周面に沿って複数個が形成される。突出部５３４ｄは四角錐形状（ピラミッド形状）とすることができる。これとは異なり、突出部５３４ｄは円錐形状または多角推形状などに形成することができる。
突出部５３４ｄはピラミッド形状を有することにより、突出部５３４ｄの端部はランプ２００の外面と相対的に小さい面積で点接触が行われる。このように、突出部５３４ｄがランプ２００と点接触することで、ランプ２００から発生した熱が局部的にランプサポート５３０に急速に伝達されることを抑制できる。
【００３６】
しかし、突出部５３４ｄとランプ２００は極小の面積で点接触することにより、点接触による応力を発生するが、これを防止するために突出部５３４ｄの端部には応力を減少させるための接触溝５３４ｄ−１を形成することができる。この際、接触溝５３４ｄ−１はランプ２００の曲率と同一の丸みを帯びるようにすることが望ましい。
本実施例によると、突出部５３４ｄがランプ固定部５３２からピラミッド形状を有するように突出されランプ２００と点接触することで、ランプ２００から発生した熱が接触地点を介してランプサポート５３０に急速に伝達することを抑制でき、その結果、ランプ２００に局部的に暗部が発生することを防止できる。
【００３７】
<表示装置の実施例>
図１０は本発明の一実施例による表示装置を示した分解斜視図である。本発明の一実施例による表示装置のバックライトアセンブリは前述した第１実施例のバックライトアセンブリと同一の構成を有するので、その重複する説明は省略することにし、同一の構成要素については同一の参照符号及び名称を使用する。
【００３８】
図１０に示すように、本実施例による表示装置１０００はバックライトアセンブリ６００、光学シート７００、表示パネル８００、及びトップシャーシ９００を含み、画像を表示する。
光学シート７００は、バックライトアセンブリ６００の上部に配置されバックライトアセンブリ６００から発生した光の光学特性を向上させる。光学部材７００は、例えば、反射と屈折を通じて光の垂直輝度を向上させる少なくとも１つのプリズムシートを含む。
【００３９】
表示パネル８００は光学シート７００の上部に配置され、バックライトアセンブリ６００から発生し光学シート７００を通過した光を情報が含まれたイメージ光に変更する。表示パネル８００は第１基板８１０、第２基板８２０、液晶層８３０、印刷回路基板８４０及び可撓性回路基板８５０を含む。
第１基板８１０は複数個がマトリックス形態に配置された画素電極、各画素電極に駆動電圧を印加する薄膜トランジスタＴＦＴ及び薄膜トランジスタＴＦＴをそれぞれ作動させるための信号線を含む。
【００４０】
画素電極は透明で導電性のあるインジウム錫酸化薄膜（ＩＴＯ）、インジウム亜鉛酸化薄膜（ＩＺＯ）及びアモルファスインジウム錫酸化薄膜（ａ−ＩＴＯ）などを写真エッチング工程によってパターニングし形成する。
第２基板８２０は第１基板８１０と向き合うように配置される。第２基板８２０は、第２基板８２０の全面に配置され、透明で導電性のある共通電極及び画素電極に対向する位置に配置されたカラーフィルタを含む。
【００４１】
カラーフィルタは、白色光のうち赤色光を選択的に通過させる赤色カラーフィルタ、白色光のうち緑色光を選択的に通過させる緑色カラーフィルタ、及び白色光のうち青色光を選択的に通過させる青色カラーフィルタを含む。
液晶層８３０は、第１基板８１０と第２基板８２０との間に介在し、画素電極と共通電極との間に形成された電気場によって再配列される。再配列された液晶層８３０は、光学シート７００を通過した光の光透過率を調節し、この光透過率が調節された液晶層８３０を透過した光がカラーフィルタを通過することで画像を表示する。
【００４２】
印刷回路基板８４０は、画像信号を処理する駆動回路ユニットを含み、駆動回路ユニットは外部から入射した画像信号を薄膜トランジスタを制御する駆動信号に変更させる。
印刷回路基板８４０は、データ印刷回路基板及びゲート印刷回路基板で構成される。データ印刷回路基板は、可撓性回路基板８５０によって第１基板８１０と接続されるとともに、可撓性回路基板８５０を折り曲げることにより、収納容器１００の側面または背面に配置される。ゲート印刷回路基板は、データ印刷回路基板に接続される可撓性回路基板とは別の可撓性回路基板８５０により第１基板と接続されるとともに、可撓性回路基板８５０を折り曲げることにより、収納容器１００の側面または背面に配置される。一方、ゲート印刷回路基板は、第１基板８１０及び可撓性回路基板８５０に別途の信号配線を形成することで、省略することもできる。
【００４３】
可撓性回路基板８５０は、印刷回路基板８４０と第１基板８１０とを電気的に接続し、印刷回路基板８４０から発生する駆動信号を第１基板８１０に提供する。可撓性回路基板８５０は、例えば、テープキャリアパッケージ（ＴＣＰ）またはチップオンフィルム（ＣＯＦ）で構成することができる。
トップシャーシ９００は、表示パネル６００の端部位を取り囲み、収納容器１００の側部１２０と結合され表示パネル８００をバックライトアセンブリ６００の上部に固定させる。トップシャーシ９００は外部から加えられた衝撃及び振動によって脆弱性のある表示パネル８００の破損または損傷を防止し、表示パネル８００が収納容器１００から離脱することを防止する。
【産業上の利用可能性】
【００４４】
以上、説明した本発明によると、突出部がランプ固定部から突出されランプと点接触または線接触することで、ランプから発生された熱が接触地点を介してランプサポートに急速に伝達されることを抑制できる。このようにランプサポートとランプが極小の接触面積を有するように構成することにより、ランプに局部的な暗部が発生することを防止でき、その結果、表示装置の表示品質をより向上することができる。即ち、ランプとランプ固定部の接触部を点接触または線接触とすることによって、ランプ固定部によってカバーされるランプの温度が減少し、ランプ固定部の熱吸収によって暗部が生じることを除去して表示品質を向上する。
【００４５】
また、突出部の端部に接触溝を形成することにより、突出部とランプが点接触または線接触するとき発生する応力を減少させることができ、その結果、応力によりランプが破損することを防止できる。
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【００４６】
【図１】本発明の第１実施形態によるバックライトアセンブリを示した斜視図である。
【図２】図１のバックライトアセンブリをI-I'線に沿って切断した断面図である。
【図３】図１のバックライトアセンブリのうちランプサポートのみを抜粋して示した斜視図である。
【図４】図３のランプサポートをII-II'線に沿って切断した断面図である。
【図５】本発明の第２実施形態によるバックライトアセンブリのうちランプサポートのみを抜粋して示した斜視図である。
【図６】本発明の第３実施形態によるバックライトアセンブリのうちランプサポートのみを抜粋して示した斜視図である。
【図７】図６のランプサポートをIII-III'線に沿って切断した断面図である。
【図８】本発明の第４実施形態によるバックライトアセンブリのうちランプサポートのみを抜粋して示した斜視図である。
【図９】図８のランプサポートをIV-IV'線に沿って切断した断面図である。
【図１０】本発明の一実施形態による表示装置を示した分解斜視図である。
【符号の説明】
【００４７】
１００      収納容器
２００      ランプ
３００      サイドモールド
４００      拡散板
５００      支持部材
５１０      支持本体
５２０      拡散板サポート
５３０      ランプサポート
５３２      ランプ固定部
５３４ａ、５３４ｂ、５３４ｃ、５３４ｄ      突出部
５４０      結合突起
６００      バックライトアセンブリ
７００      光学シート
８００      表示パネル
９００      トップシャーシ
１０００      表示装置
【図１】
0005154044.tif 000002
【図２】
0005154044.tif 000003
【図３】
0005154044.tif 000004
【図４】
0005154044.tif 000005
【図５】
0005154044.tif 000006
【図６】
0005154044.tif 000007
【図７】
0005154044.tif 000008
【図８】
0005154044.tif 000009
【図９】
0005154044.tif 000010
【図１０】
0005154044.tif 000011